【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
１つまたは複数の被分析物の存在、非存在、および量のうちの少なくとも１つを検出する信号を生成するためのシステムであって、前記システムは、
サンプル分析カートリッジであって、
開口から延在する入力トンネルであって、前記入力トンネルは、サンプルに暴露されるように適合されるサンプル収集デバイスの遠位部分の挿入を可能にするように構成される、入力トンネルと、
液体を保持するように構成され、前記サンプル収集デバイスの前記遠位部分から前記サンプルを受容するように構成される貯留部と、
前記貯留部から、その中で混合させられた前記サンプルおよび試薬を有する前記液体を受容するように構成される分析チャネルと、
前記分析チャネル内の前記混合させられた液体に暴露されるように、ならびに、前記サンプル内の１つまたは複数の被分析物の存在、非存在、および量のうちの少なくとも１つを示す信号を生成するように構成される電気化学センサと
を備える、サンプル分析カートリッジ
を備える、システム。
【請求項２】
前記サンプル分析カートリッジに電気的に連結されるサンプル分析読取機であって、前記サンプル分析読取機は、処理するために前記信号を受信するように、ならびに、前記サンプル内の前記１つまたは複数の被分析物の前記存在、非存在、および量のうちの少なくとも１つを示す処理された信号をコンピュータに伝送するように構成される、サンプル分析読取機と、
命令を備えるコンピュータ可読媒体であって、前記命令は、前記コンピュータのプロセッサによって実行されると、グラフィカルユーザインターフェースに前記１つまたは複数の被分析物の前記存在、非存在、および量のうちの少なくとも１つを示す情報を表示させる、コンピュータ可読媒体と
をさらに備える、請求項１に記載のシステム。
【請求項３】
前記電気化学センサの表面は、自己組織化単層を備え、前記自己組織化単層は、少なくとも、オリゴエチレングリコールジチオール（随意には、ヘキサエチレングリコールジオチオール、テトラエチレングリコールジチオール、または、他のオリゴエチレングリコールジチオール）とカルボン酸末端チオールとの混合物から成る、請求項１または請求項２に記載のシステム。
【請求項４】
前記グラフィカルユーザインターフェースは、前記コンピュータを介してアクセス可能なアプリケーションによって生成される、請求項２または請求項３に記載のシステム。
【請求項５】
前記コンピュータは、データをサーバに伝送し、データを前記サーバから受信するように構成される、請求項２〜４のいずれか１項に記載のシステム。
【請求項６】
前記データは、前記１つまたは複数の被分析物の前記存在、非存在、および量のうちの少なくとも１つを示すデータを含む、請求項５に記載のシステム。
【請求項７】
前記データは、前記サーバに記憶された過去の試験結果を含む、請求項５に記載のシステム。
【請求項８】
前記グラフィカルユーザインターフェース上に表示される前記情報は、前記１つまたは複数の被分析物の前記存在、非存在、および量のうちの少なくとも１つに基づくユーザアクションの推奨を含む、請求項２〜４のいずれか１項に記載のシステム。
【請求項９】
前記グラフィカルユーザインターフェース上に表示される前記情報は、前記１つまたは複数の被分析物の前記存在、非存在、および量のうちの少なくとも１つに基づく表またはグラフもしくは両方を含む、請求項２〜４のいずれか１項に記載のシステム。
【請求項１０】
前記コンピュータは、装着型デバイスからデータを受信するように構成され、
前記コンピュータの前記プロセッサは、前記装着型デバイスからの前記データを処理するように、および、前記グラフィカルユーザインターフェースに前記装着型デバイスからの前記データに基づく情報を表示させるように構成される、請求項２〜４のいずれか１項に記載のシステム。
【請求項１１】
前記アプリケーションは、カレンダーアプリケーションと同期化するように、および、前記カレンダーアプリケーションとの前記同期化に基づいて特定の時間にユーザに通知するように構成される、請求項３に記載のシステム。
【請求項１２】
前記アプリケーションは、ユーザのソーシャルネットワークのうちの１つまたは複数のものにリンクするように構成される、請求項３に記載のシステム。
【請求項１３】
前記アプリケーションは、前記ユーザの１つまたは複数のソーシャルネットワーク内の１つまたは複数の連絡先に、前記サンプル内の前記１つまたは複数の被分析物の前記存在、非存在、および量のうちの少なくとも１つを示す試験結果を通知するように構成される、請求項１２に記載のシステム。
【請求項１４】
前記サンプル分析読取機による前記サンプル分析カートリッジの受容は、前記サンプル分析カートリッジと前記サンプル分析読取機との間の電気的連結を引き起こす、請求項１〜４のいずれか１項に記載のシステム。
【請求項１５】
前記システムは、サンプル収集デバイスをさらに備える、請求項１〜４のいずれか１項に記載のシステム。
【手続補正２】
【補正対象書類名】明細書
【補正対象項目名】００２６
【補正方法】変更
【補正の内容】
【００２６】
コンピュータ化方法の他の実施形態では、３つまたはそれを上回るサイズの磁気粒子が、第１の貯留部中に存在し、等数の３つまたはそれを上回る磁場発生器が、分析チャネルの中もしくは近傍に提供される。そのような様式で、サンプル内の複数の被分析物の存在を試験するために、単一のデバイスおよび単一の方法が採用されてもよい。センサ信号が標的被分析物の量と正比例しようと、または間接的に比例しようと、その信号と被分析物標的濃度との間に１対１のマッピングを作成するために、任意の数の粒子サイズおよび磁場強度を利用することができる。そのような実施形態では、磁場の数は、両方とも、本システムが検出するように構成される、異なる標的被分析物の数に等しい、センサの数および一意的な磁気粒子集団の数に等しい。そのような方法およびデバイスは、例えば、多くの疾患の中でも、どれに個人が罹患しているか、多くの薬剤または毒の中でも、どれに個人が不利に反応しているか、多くの化学物質の中でも、どれが水を汚染したかを判定するために、使用されてもよい。他の実施例は、個人の体内の種々のビタミン、ホルモン、タンパク質、または他の目的とする被分析物の濃度を定量化するステップを含む。
本発明は、例えば、以下を提供する。
（項目１）
１つまたはそれを上回る被分析物の存在、非存在、および量のうちの少なくとも１つを検出する信号を生成するためのシステムであって、前記システムは、
サンプル分析カートリッジであって、
開口から延在する入力トンネルであって、サンプルに暴露されるように適合されるサンプル収集デバイスの遠位部分の挿入を可能にするように構成される、入力トンネルと、
液体を保持するように構成され、前記サンプル収集デバイスの前記遠位部分から前記サンプルを受容するように構成される、貯留部と、
前記貯留部から、その中で混合させられた前記サンプルおよび試薬を有する前記液体を受容するように構成される、分析チャネルと、
前記分析チャネル内の前記混合液体に暴露されるように、ならびに前記サンプル内の１つまたはそれを上回る被分析物の存在、非存在、および量のうちの少なくとも１つを示す信号を生成するように構成される、センサと
を備える、サンプル分析カートリッジと、
前記サンプル分析カートリッジに電気的に連結される、サンプル分析読取機であって、処理するために前記信号を受信するように、ならびに前記サンプル内の前記１つまたはそれを上回る被分析物の前記存在、非存在、および量のうちの少なくとも１つを示す処理された信号をコンピュータに伝送するように構成される、サンプル分析読取機と、
前記コンピュータのプロセッサによって実行されると、グラフィカルユーザインターフェースに前記１つまたはそれを上回る被分析物の前記存在、非存在、および量のうちの少なくとも１つを示す情報を表示させる命令を備えた、コンピュータ可読媒体と
を備える、システム。
（項目２）
前記グラフィカルユーザインターフェースは、前記コンピュータを介してアクセス可能なアプリケーションによって生成される、項目１に記載のシステム。
（項目３）
前記アプリケーションは、インターネットからダウンロード可能である、項目２に記載のシステム。
（項目４）
前記アプリケーションは、使用に先立って安全なログインを必要とする、項目２または３に記載のシステム。
（項目５）
前記コンピュータは、データをサーバに伝送し、かつそこから受信するように構成される、項目１〜４のいずれか１項に記載のシステム。
（項目６）
前記データは、前記１つまたはそれを上回る被分析物の前記存在、非存在、および量のうちの少なくとも１つを示すデータを含む、項目５に記載のシステム。
（項目７）
前記データは、前記サーバに記憶された過去の試験結果を含む、項目５に記載のシステム。
（項目８）
前記グラフィカルユーザインターフェース上に表示される前記情報は、前記１つまたはそれを上回る被分析物の前記存在、非存在、および量のうちの少なくとも１つに基づく、ユーザアクションの推奨を含む、項目１〜４のいずれか１項に記載のシステム。
（項目９）
前記グラフィカルユーザインターフェース上に表示される前記情報は、前記１つまたはそれを上回る被分析物の前記存在、非存在、および量のうちの少なくとも１つに基づく、表またはグラフもしくは両方を含む、項目１〜４のいずれか１項に記載のシステム。
（項目１０）
前記コンピュータは、装着型デバイスからデータを受信するように構成され、
前記コンピュータの前記プロセッサは、前記装着型デバイスからの前記データを処理するように、および前記グラフィカルユーザインターフェースに前記装着型デバイスからの前記データに基づく情報を表示させるように構成される、項目１〜４のいずれか１項に記載のシステム。
（項目１１）
前記アプリケーションは、カレンダーアプリケーションと同期化するように、および前記カレンダーアプリケーションとの前記同期化に基づいて特定の時間にユーザに通知するように構成される、項目２に記載のシステム。
（項目１２）
前記アプリケーションは、ユーザのソーシャルネットワークのうちの１つまたはそれを上回るものにリンクするように構成される、項目２に記載のシステム。
（項目１３）
前記アプリケーションは、前記ユーザの１つまたはそれを上回るソーシャルネットワーク内の１つまたはそれを上回る連絡先に、前記サンプル内の前記１つまたはそれを上回る被分析物の前記存在、非存在、および量のうちの少なくとも１つを示す試験結果を通知するように構成される、項目１２に記載のシステム。
（項目１４）
前記アプリケーションは、生殖能力レベルを示す試験結果について、前記１つまたはそれを上回る連絡先に通知するように構成される、項目１３に記載のシステム。
（項目１５）
前記アプリケーションは、前記１つまたはそれを上回る連絡先に匿名で通知するように構成される、項目１３に記載のシステム。
（項目１６）
前記命令は、前記プロセッサによって実行されると、前記１つまたはそれを上回る被分析物の前記存在、非存在、および量のうちの少なくとも１つに基づいて、前記グラフィカルユーザインターフェースに、医師または薬局もしくは両方に連絡するようにユーザを促す、項目１〜４のいずれか１項に記載のシステム。
（項目１７）
前記グラフィカルユーザインターフェースは、マップ上の場所における他のユーザによる１つまたはそれを上回る被分析物の陽性試験結果を示すマップを表示するように構成される、項目１〜４のいずれか１項に記載のシステム。
（項目１８）
前記コンピュータは、スマートフォン、タブレット、装着型デバイス、またはラップトップを備える、項目１〜４のいずれか１項に記載のシステム。
（項目１９）
前記サンプル分析読取機による前記のサンプル分析カートリッジの受容は、前記サンプル分析カートリッジと前記サンプル分析読取機との間の電気的連結を引き起こす、項目１〜４のいずれか１項に記載のシステム。
（項目２０）
前記システムはさらに、サンプル収集デバイスを備える、項目１〜４のいずれか１項に記載のシステム。